(57)【要約】【課題】就寝者の就床時、就寝中、又は起床時において、周囲の就寝者に迷惑をかけるというストレスから解放させ、かつリラックスした環境で快適な寝入り、熟睡、目覚めが得られる就寝用指向性光源及び音源供給装置を提供する。【解決手段】就寝用指向性光源及び音源供給装置１は、音声又は音楽を発信する超指向性スピーカー４と、照明を照射する指向性ＬＥＤ照明灯６と、超指向性スピーカー４の音声又は音楽を制御するスピーカー制御部５と、指向性ＬＥＤ照明灯６の照明を制御するＬＥＤ照明制御部７と、超指向性スピーカー４から発信される音声又は音楽のパターン、又は指向性ＬＥＤ照明灯６から照射される照明のパターンを記憶する記憶部９と、就寝者が就床時、就寝中、又は起床時について記憶部９に記憶されたパターンから予め選択したパターンを就寝者に提供させるパターン制御部８と、を備える。【選択図】図１
2015027329.tif 000002
【特許請求の範囲】
【請求項１】
就寝者の寝床の周囲に設置される就寝用指向性光源及び音源供給装置であって、
寝床に設定された空間の範囲を音響領域として音声又は音楽を発信する超指向性スピーカーと、
寝床に設定された空間の範囲を照射領域として照明を照射する指向性ＬＥＤ照明灯と、
前記超指向性スピーカーの音声又は音楽を制御するスピーカー制御部と、
前記指向性ＬＥＤ照明灯の照明を制御するＬＥＤ照明制御部と、
超指向性スピーカーから発信される音声又は音楽のパターン、又は指向性ＬＥＤ照明灯から照射される照明のパターンを記憶する記憶部と、
就寝者が就床時、就寝中、又は起床時について記憶部に記憶されたパターンから予め選択したパターンを、超指向性スピーカー又は指向性ＬＥＤ照明灯を介して就寝者に提供させるパターン制御部と、
を備えることを特徴とする就寝用指向性光源及び音源供給装置。
【請求項２】
請求項１に記載の就寝用指向性光源及び音源供給装置であって、スピーカー制御部は、超指向性スピーカーから発信される音声又は音楽に関し、就床時、就寝中、又は起床時ごとに就寝者により予め設定された音量、音質に制御し、ＬＥＤ照明制御部は、指向性ＬＥＤ照明灯から照射される照明に関し、就床時、就寝中、又は起床時ごとに就寝者により予め設定された光量、色調に制御することを特徴とする就寝用指向性光源及び音源供給装置。
【請求項３】
請求項１又は２に記載の就寝用指向性光源及び音源供給装置であって、就寝者の枕元に設置される操作部と、操作部に接続する左右２つの装置部とから構成され、各装置部には超指向性スピーカーと指向性ＬＥＤ照明灯とが搭載され、操作部から高さ方向に伸縮するポストにより装置部の高さ位置が設定され、ポストの上部で横方向に設けられたアームにより装置部の左右の位置が設定され、さらに、装置部は２方向に回転自在となる機構を備え、超指向性スピーカーの音響領域又は指向性ＬＥＤ照明灯の照射領域が調整されることを特徴とする就寝用指向性光源及び音源供給装置。
【請求項４】
請求項３に記載の就寝用指向性光源及び音源供給装置であって、超指向性スピーカーからは立体音響に編集された音声又は音楽が２つの装置部の超指向性スピーカーから発信されることを特徴とする就寝用指向性光源及び音源供給装置。
【請求項５】
請求項１乃至４のいずれか１項に記載の就寝用指向性光源及び音源供給装置であって、パターン制御部は、超指向性スピーカーから発信される音声又は音楽のパターンと、指向性ＬＥＤ照明灯から照射される照明のパターンとを同期して提供させることを特徴とする就寝用指向性光源及び音源供給装置。
【請求項６】
請求項１乃至５のいずれか１項に記載の就寝用指向性光源及び音源供給装置であって、超指向性スピーカーから発信される音声又は音楽のパターン、又は指向性ＬＥＤ照明灯から照射される照明のパターンは、携帯端末等からダウンロード可能であることを特徴とする就寝用指向性光源及び音源供給装置。
【請求項７】
請求項１乃至６のいずれか1項に記載の就寝用指向性光源及び音源供給装置であって、指向性ＬＥＤ照明灯は、指向レンズにより指向性を高めることを特徴とする就寝用指向性光源及び音源供給装置。
【発明の詳細な説明】
【技術分野】
【０００１】
本発明は、就寝用光源及び音源供給装置に係り、特に、就床時、睡眠中、起床時において寝床の周囲の他の就寝者に迷惑をかけず所定の就寝者のみに光源及び音源を供給する就寝用光源及び音源供給装置に関する。
【背景技術】
【０００２】
日常生活において多くのストレスを受ける現代人にとって、就床時にリラックスして寝入り、就寝中は熟睡し、起床時において快適に目覚めることは、ストレスを貯め込まずに健康的な生活を送る上で極めて重要になりつつある。そこで、例えば就床時に各種の刺激を発生させて睡眠を誘発する装置、或いは起床時に刺激を与えて睡眠から覚醒させる装置などが考案されている。
【０００３】
特許文献１には、複数種の刺激を複合して発生することにより、睡眠を効率的に誘発し、しかも、手軽に利用することが可能な睡眠誘発装置が開示されている。ここでは、赤色ランプおよび青色ランプと、光を用いて幻想的なパターンを投影するエフェクトマシンと、室内に芳香を放出する芳香発生装置と、ＣＤプレーヤと、を筐体に配設して構成される。そして、この筐体には制御部が内蔵され、この制御部の制御により赤色ランプおよび青色ランプはそれぞれの期間にそれぞれの強度で発光し、エフェクトマシンは所定の期間に所定の光強度および所定の回転速度で星状のパターンを投影し、さらに、芳香発生装置は所定の期間に香りを放ち、ＣＤプレーヤは所定の期間に所定の音量で音をスピーカーから発音させることが記載されている。
【０００４】
特許文献２には、色と強さを調節した光によって睡眠覚醒リズムを調節し、良質な睡眠とスムーズな覚醒を促す装置が開示されている。ここでは、目覚まし時計で就寝時刻と起床時刻を設定することにより、睡眠導入時には発光装置から赤色〜黄色の光を点灯し、これを徐々に弱めて行く事で、スムーズな睡眠導入と良質な睡眠が得られ、起床時には起床予定時刻よりも一定時間前から発光装置から青色〜白色の光を徐々に強めて行く事でスムーズな覚醒が得られるとともに、設定した起床時刻には目覚まし音を鳴らことにより、ぐっすり眠ってすっきり目覚める睡眠覚醒リズムを整えることが記載されている。
【０００５】
一方、社会が複雑化するにつれ、或いは、生活習慣が多様化するにつれて就寝時間と起床時間に関する個人差が拡大し、周囲の就寝者と異なる時間に、就床し、就寝し、起床しなければならない場合が増加している。例えば、残業で遅くなり、既に寝ている家族を起こさずに就床する場合、早朝に家族を起こさずにゴルフに出かける場合、サウナの就寝ルームで周囲の人に迷惑をかけずに短時間寝たい場合、夜間の新幹線の車内で周囲の乗客に迷惑をかけずに起きていたい場合、睡眠をとるものの周囲の乗客に迷惑をかけずに降車駅に着く直前に起きたい場合、ホテルや旅館の部屋に多人数で宿泊し、他の人よりも遅く寝たい場合や早く起きたい場合などである。
【０００６】
特許文献３には、同室者を起こすことなく特定の人のみを確実に覚醒させる覚まし装置が開示されている。ここでは、ある限られた域に就寝している人のみにその睡眠を覚ます覚醒刺激を指向的に与える指向覚醒刺激手段を天井に備え、覚醒刺激が、超音波を相互に干渉させて可聴音を発生させる指向性スピーカーからの音と、指向性を備えた照明灯からの照明光との組み合わせであることが記載されている。
【先行技術文献】
【特許文献】
【０００７】
【特許文献１】特開平６−１２１８３９号公報
【特許文献２】特開２０１１−１０７１１１号公報
【特許文献３】特許第２７２１５３６号公報
【発明の概要】
【発明が解決しようとする課題】
【０００８】
就寝時において周囲の就寝者に迷惑がかかるという状況は、起床時に目覚まし時計のアラームが鳴ることにより発生するだけではない。就床時になかなか寝付かれずに音楽を聴く、テレビやラジオを聴く、携帯端末等のアプリケーションでゲームをする、友人と携帯端末等で話をするなどの行為を行った場合には、発生する音や光により周囲の就寝者に迷惑がかかる状況となる。その音や光を発生させないように我慢するとストレスが生じてしまい、ますます眠れなくなってしまう。そのようなストレスは、睡眠に影響を与えてしまい熟睡を妨げる。また、目覚まし時計のアラームは、起床時間をセットしないか、又はアラームのボリュームを下げると翌朝に起きられないというストレスになってしまい、睡眠に影響を与えてしまい、熟睡を妨げてしまう。
【０００９】
つまり、就床時には「眠れない」というストレスを解消しようとして音や光を発生すると周囲の就寝者に迷惑がかかり、起床時に「起きられない」というストレスを解消しようとして目覚まし時計のアラームをセットするかボリュームを上げると周囲の就寝者に迷惑がかかってしまう。このように、現代人にとってストレスから解放されて疲れを癒すはずの就寝時においてストレスが過剰にならず、よりリラックスした環境での快適な寝入り、熟睡、目覚めを得る方策が求められる。
【００１０】
一方、外部に音が漏れにくく、周囲の者に迷惑をかけず特定の者のみに起床時間であることを報知するには、耳穴型・耳掛け型の目覚し時計がある。しかし、就寝中に耳穴にスピーカーを設置したり、耳に機器を引掛けたりするのは使用者にとってストレスになり、リラックスした環境の中で快適な寝入り、熟睡、目覚めが得られないという問題がある。また、周囲の者に迷惑をかけず特定の者のみに起床時間であることを報知するものとして振動指向性アラーム機能を装備した腕時計があるが、至近距離で作動するため、就寝中に腕に機器を装着するのは使用者にとってストレスになり、リラックスした環境の中で快適な寝入り、熟睡、目覚めが得られないという問題がある。
【００１１】
本願の目的は、かかる課題を解決し、就寝者の就床時、就寝中、又は起床時において、周囲の就寝者に迷惑をかけるというストレスから解放させ、かつ、就寝用指向性光源及び音源供給装置を提供することである。
【課題を解決するための手段】
【００１２】
上記目的を達成するため、本発明に係る就寝用指向性光源及び音源供給装置は、就寝者の寝床の周囲に設置される就寝用指向性光源及び音源供給装置であって、寝床に設定された空間の範囲を音響領域として音声又は音楽を発信する超指向性スピーカーと、寝床に設定された空間の範囲を照射領域として照明を照射する指向性ＬＥＤ照明灯と、前記超指向性スピーカーの音声又は音楽を制御するスピーカー制御部と、前記指向性ＬＥＤ照明灯の照明を制御するＬＥＤ照明制御部と、超指向性スピーカーから発信される音声又は音楽のパターン、又は指向性ＬＥＤ照明灯から照射される照明のパターンを記憶する記憶部と、就寝者が就床時、就寝中、又は起床時について記憶部に記憶されたパターンから予め選択したパターンを、超指向性スピーカー又は指向性ＬＥＤ照明灯を介して就寝者に提供させるパターン制御部と、を備えることを特徴とする。
【００１３】
上記構成により、指向性を有するスピーカー、及び指向性を有するＬＥＤ照明灯を用い、一つの寝床回りに設定された音響領域及び照射領域を指向させることで、周囲の就寝者に迷惑をかけずに就床、睡眠、又は起床することができる。すなわち、超指向性スピーカーは、当人が就寝する範囲内において、就床時、睡眠時、又は起床時にそれぞれ適切な音声や音楽を供給する。また、指向性ＬＥＤ照明灯は、当人が就寝する範囲内において、就床時、睡眠時、又は起床時にそれぞれ適切な照明を供給する。これにより、就寝者は、周囲の他の就寝者に迷惑をかけることなく就寝時に就床し、睡眠し、又は起床することができる。
【００１４】
さらに、記憶部が、超指向性スピーカーから発信される音声又は音楽のパターン、又は指向性ＬＥＤ照明灯から照射される照明のパターンを記憶しておき、就寝者は、就床時、就寝中、又は起床時について記憶部に記憶されたパターンから予めパターンを選択しておく。そして、パターン制御部は、就床時、就寝中、又は起床時において、それぞれ選択されたパターンを超指向性スピーカー又は指向性ＬＥＤ照明灯を介して就寝者に提供する。これにより、就寝者は、就床時、就寝中、又は起床時においてプログラムされたパターンの音声や音楽、又は照明により、リラックスした環境で快適な寝入り、熟睡、目覚めが得られる。
【００１５】
また、就寝用指向性光源及び音源供給装置は、スピーカー制御部が、超指向性スピーカーから発信される音声又は音楽に関し、就床時、就寝中、又は起床時ごとに就寝者により予め設定された音量、音質に制御し、ＬＥＤ照明制御部が、指向性ＬＥＤ照明灯から照射される照明に関し、就床時、就寝中、又は起床時ごとに就寝者により予め設定された光量、色調に制御することが好ましい。これにより、就寝者は、超指向性スピーカー及び指向性ＬＥＤ照明灯に関して予め各種の制御をプログラムしておくことができ、その時々の体調や気分に合わせてリラックスした環境で快適な寝入り、熟睡、目覚めを得ることができる。
【００１６】
また、就寝用指向性光源及び音源供給装置は、就寝者の枕元に設置される操作部と、操作部に接続する左右２つの装置部とから構成され、各装置部には超指向性スピーカーと指向性ＬＥＤ照明灯とが搭載され、操作部から高さ方向に伸縮するポストにより装置部の高さ位置が設定され、ポストの上部で横方向に設けられたアームにより装置部の左右の位置が設定され、さらに、装置部は２方向に回転自在となる機構を備え、超指向性スピーカーの音響領域又は指向性ＬＥＤ照明灯の照射領域が調整されることが好ましい。このような機構を駆使して左右の搭載部の位置を設定することにより、超指向性スピーカー及び指向性ＬＥＤ照明灯の方向のバリエーションが増し、より自由度が高く、かつ適切な音響領域と照射領域とを形成することができる。そして、音源と光源とによる効果的な寝入り、熟睡、目覚めを得ることができる。
【００１７】
また、就寝用指向性光源及び音源供給装置は、超指向性スピーカーからは立体音響に編集された音声又は音楽が２つの装置部の超指向性スピーカーから発信されることが好ましい。これにより、立体的なステレオ・サウンドを提供することができ、効果的な寝入り、熟睡、目覚めが得られる。
【００１８】
また、就寝用指向性光源及び音源供給装置は、パターン制御部が、超指向性スピーカーから発信される音声又は音楽のパターンと、指向性ＬＥＤ照明灯から照射される照明のパターンとを同期して提供させることが好ましい。これにより、音源と光源との相乗効果により就寝者にストレスを与えずに寝入り、熟睡し、目覚めさせることができる。また、周囲で就寝中の人に対して音と光が多少なりとも漏れたと場合であってもストレスを与えずに睡眠を継続させる効果を与える。
【００１９】
また、就寝用指向性光源及び音源供給装置は、超指向性スピーカーから発信される音声又は音楽のパターン、又は指向性ＬＥＤ照明灯から照射される照明のパターンが、携帯端末やＰＣ等からダウンロード可能であることが好ましい。これにより、超指向性スピーカーから発信される音声又は音楽のパターン、又は指向性ＬＥＤ照明灯から照射される照明のパターンが、携帯端末等より容易に入手でき、自分の好みに合わせた光源及び音源のパターンを選択して設定できる。
【００２０】
さらに、就寝用指向性光源及び音源供給装置は、指向性ＬＥＤ照明灯が、指向レンズにより指向性を高めることが好ましい。これにより、一般的な蛍光灯と比較して指向性の強いＬＥＤ照明灯が指向レンズによりさらに強い指向性が得られ、効果的なアラーム機能を発揮させることができる。
【発明の効果】
【００２１】
以上のように、本発明に係る就寝用指向性光源及び音源供給装置によれば、就寝者の就床時、就寝中、又は起床時において、周囲の就寝者に迷惑をかけるというストレスから解放させ、かつリラックスした環境で快適な寝入り、熟睡、目覚めが得られる就寝用指向性光源及び音源供給装置を提供することができる。
【図面の簡単な説明】
【００２２】
【図１】本発明に係る就寝用指向性光源及び音源供給装置の一つの実施形態の概略構成を示すブロック図である。
【図２】就寝用指向性光源及び音源供給装置の一つの実施例を示す正面図である。
【図３】就寝用指向性光源及び音源供給装置の一つの実施例を示す側面図である。
【図４】操作部と装置部とを連結するポストの詳細を示す図２の拡大したＡ−Ａ断面図である。
【図５】装置部とアームとの接続方法、及び回転機構を示す拡大した断面図である。
【図６】就寝用指向性光源及び音源供給装置による音響領域及び照射領域を示す説明図である。
【発明を実施するための形態】
【００２３】
（就寝用指向性光源及び音源供給装置の構成）
以下に、図面を用いて本発明に係る就寝用指向性光源及び音源供給装置１を詳細に説明する。図１に、本発明に係る就寝用指向性光源及び音源供給装置１の一つの実施形態の概略構成をブロック図で示す。
【００２４】
本実施形態では、就寝用指向性光源及び音源供給装置１は、就寝者の枕元に設置される操作部２、及び操作部２に接続された左右２個の装置部３ａ，３ｂとから構成される。そして、操作部２は、スピーカー制御部５、ＬＥＤ照明制御部７、パターン制御部８、記憶部９、表示部１０、タイマー１１、及び入力部１２から構成される。また、装置部３ａ，３ｂは、超指向性スピーカー４ａ，４ｂ、及び指向性ＬＥＤ照明灯６ａ，６ｂがそれぞれ搭載される。本実施形態では、装置部３は左右に配置されるため２個であるが、これに限らず１個、又は３個以上であっても良い。ここで、指向性とは、音、電波、光窓が空間に出力されるときに、その強度（単位立体角あたりのエネルギー）が方向によって異なる性質をいう。
【００２５】
超指向性スピーカー４ａ，４ｂは、パラメトリックスピーカーとも称され、限られた範囲にのみに音を送ることのできるスピーカーである。この特性は、超音波をキャリアとして可聴音を送出することにより実現される。すなわち、超音波は可聴音よりも指向性が強く、また超音波の直進性を利用して可聴音の鋭いビームを形成させることによる。この超指向性スピーカー４ａ，４ｂは、音のスポットライトとして、スポットエリアに音声情報を提供する手段として活用されている。この超指向性スピーカー４は、図６に示すように、一つの寝床２０回りに設定された音響領域２１を指向して音声又は音楽を発信する。また、超指向性スピーカー４ａ，４ｂからは立体音響に編集された音声又は音楽が２個の装置部３ａ，３ｂの超指向性スピーカー４ａ，４ｂから発信されても良い。これにより、いわゆるステレオ・サウンドとして音声又は音楽を聴くことができる。そして、スピーカー制御部５は操作部２に備えられ、超指向性スピーカー４ａ，４ｂから発信される音声又は音楽に関し、就床時、就寝中、又は起床時ごとに就寝者により予め設定された音量、音質などに制御する。
【００２６】
指向性ＬＥＤ照明灯６ａ，６ｂは、図６に示すように、一つの寝床２０回りに設定された照射領域２２を指向して照明を照射する。ＬＥＤ照明とは、発光ダイオード（ＬＥＤチップ）を利用した照明であり、Ｐ型半導体とＮ型半導体とがＰＮ結合して一方向（順方向）にのみ電流が流れる。この順方向に電圧をかけるとＬＥＤチップの中を電子と正孔が移動するがその途中で電子と正孔が衝突し、その際に電子が保有しているエネルギーの一部が光のエネルギーに変換されることで発光する。このように、ＬＥＤ照明の発光する方向は限定され、その照射角は所定の方向に制限されている。つまり、ＬＥＤ照明は、指向性を有する。さらに、ＬＥＤ照明は、凸レンズである指向レンズを備えるとその指向性がさらに強まる。そして、ＬＥＤ照明制御部７は、指向性ＬＥＤ照明灯６ａ，６ｂから照射される照明に関し、就床時、就寝中、又は起床時ごとに就寝者により予め設定された光量、色調などに制御する。
【００２７】
記憶部９には、超指向性スピーカー４ａ，４ｂから発信される音声又は音楽のパターン、又は指向性ＬＥＤ照明灯６ａ，６ｂから照射される照明のパターンが記憶されている。そして、パターン制御部８は、就寝者が就床時、就寝中、又は起床時について記憶部９に記憶されたパターンから予め選択したパターンを、超指向性スピーカー４ａ，４ｂ又は指向性ＬＥＤ照明灯６ａ，６ｂを介して就寝者に提供させる。この超指向性スピーカー４ａ，４ｂから発信される音声又は音楽のパターン、又は指向性ＬＥＤ照明灯６ａ，６ｂから照射される照明のパターンは、インターネットなどを介して配信され、携帯端末等からダウンロード可能である。これにより、超指向性スピーカー４ａ，４ｂから発信される音声又は音楽のパターン、又は指向性ＬＥＤ照明灯６ａ，６ｂから照射される照明のパターンが、携帯端末等より容易に入手でき、自分の好みに合わせた光源及び音源のパターンを設定できる。
【００２８】
このように、本発明に係る就寝用指向性光源及び音源供給装置１は、就寝者が、就寝時、つまり就床時、就寝中、又は起床時において周囲の他の就寝者に迷惑をかけるというストレスから解放され、かつリラックスした環境で快適な寝入り、熟睡、目覚めを得るために活用される。ここで、「就寝時」とは、就床から起床までの時間帯をいう。例えば、就床時に本を読む習慣のある者は、指向性ＬＥＤ照明灯６ａ，６ｂにより快適な読書を楽しめる。また、就床時になかなか寝付かれない者は、超指向性スピーカー４ａ，４ｂによりヒーリング音楽を聴きながら熟睡できる。また、就床時には設定された就寝時間になると音響と照明とをフェードアウト（ｆａｄｅ  ｏｕｔ）させて就寝時間であることをリラックスした状態で告知し、起床時には、設定された起床時間になると音響と照明とをフェードイン（ｆａｄｅ  ｉｎ）して起床時間であることをリラックスした状態で警告することも可能である。このように、就寝用指向性光源及び音源供給装置１は、睡眠に誘導したり、睡眠から覚醒させたりする手段に用いることができ、リラックスした環境で快適な寝入り、熟睡、目覚めが得られる。
【００２９】
そして、パターン制御部８は、超指向性スピーカー４ａ，４ｂから発信される音声又は音楽のパターンと、指向性ＬＥＤ照明灯６ａ，６ｂから照射される照明のパターンとを同期して提供させることができる。すなわち、それぞれ個別に選択された、音声又は音楽のリズムと照明の周期とを判定し、相互に同期させて出力させることができる。例えば、パターン制御部８は、就床時には音響と照明を同期させて次第にフェードアウト（ｆａｄｅ  ｏｕｔ）させ、起床時には、音響と照明を同期させて次第にフェードイン（ｆａｄｅ  ｉｎ）させることができる。または、就寝中に生体のリズムに合わせて音響と照明を同期させて波のように増減させることもできる。この音響と照明との同期により、音源と光源との相乗効果により効果的な寝入り、熟睡、目覚めが得られる。
【００３０】
（就寝用指向性光源及び音源供給装置の実施例）
図２に、就寝用指向性光源及び音源供給装置１の一つの実施例を正面図で示し、図３に、就寝用指向性光源及び音源供給装置１の一つの実施例を側面図で示す。また、図４に、操作部２と装置部３ａ，３ｂとを連結するポスト２８ａ，２８ｂの詳細を図２のＡ−Ａ断面で示す。さらに、図５に、装置部２とアーム１５との接続方法、及び回転機構を示す。図１から図５に示す本就寝用指向性光源及び音源供給装置１は一つの実施例であり、これに限らない。
【００３１】
操作部２には、時刻表示部１０ａ、液晶表示部１０ｂ、入力部１２、音量調節ダイヤル１４、音質調整ダイヤル１６が設けられている。就寝者は、時刻表示部１０ａの表示を見ながら入力部１２により、例えば就寝時刻の設定、起床時間の設定などのデータインプットを行う。また、就寝者は、液晶表示部１０ｂの表示を見ながら入力部１２により、音声又は音楽のパターン入力、照明パターンの入力等のデータインプットを行う。なお、操作部２にはこれらの機能に限らず他の機能が設けられても良い。
【００３２】
（高さ方向位置調節機構）
図２及び図３に示すように、操作部２から連結部１３へとポスト２８が立ち上がる。このポストは、図４の断面に示すように上部の管状のポスト２８ｂが下部の管状のポスト２８ａに挿入される。このポスト２８には、ねじ込み式のストッパー１７が設けられ、ストッパー１７のネジを緩めると下部ポスト２８ａに対して上部ポスト２８ｂが伸縮自在となる。そして、適切な高さに設定してストッパー１７のネジを締め込むとその高さ位置（Ｚ）に固定される。このように、ポスト２８は、高さ方向（Ｚ）の位置調節機構を備えている。高さ方向（Ｚ）の位置調節機構は、連結部１３の高さ位置が可変となる機構であれば本機構以外の機構であっても良い。
【００３３】
（仰ぎ角度（Θｘ）調節機構）
そして、図４に示すように、上部ポスト２８ｂと連結部１３との間には、回転ヒンジ２９が設けられ、連結部１３は、前方に向かって傾斜可能となる。このように、連結部１３には、装置部３ａ，３ｂを回転方向（Θｘ）に傾けることができる仰ぎ角度調節機構を備えている。この連結部１３には、２本のアーム１５ａ，１５ｂがそれぞれ固定されている。そして、図５に示すように、このアーム１５ａ，１５ｂは、横方向に張り出して接続部１９をスライド自在に支持し、装置部３ａ，３ｂは接続部１９にそれぞれ取り付けられている。従って、装置部３ａ，３ｂは、連結部１３の仰ぎ角度方向（Θｘ）の傾斜に対して連動して同じ角度だけ傾斜する。
【００３４】
（横方向張り出し位置調節機構）
このように、装置部３ａ，３ｂは、接続部１９を介し、それぞれ独立して２本のアーム１５ａ，１５ｂに沿って移動可能である。図５に示すように、アーム１５ａ，１５ｂの両端部には、装置部３ａ，３ｂの接続部１９の脱落を防止するエンドストッパー３１が嵌め込まれている。そして、装置部３ａ，３ｂは接続部１９により２本のアーム１５ａ，１５ｂに対して張り出し方向（Ｘａ，Ｘｂ）にスライドし、適切な位置でストッパー１８により固定される。このように、装置部３ａ，３ｂは、それぞれ横方向（Ｘａ，Ｘｂ）に張り出す位置調整機構を備える。
【００３５】
（振り角度（Θｚ）調節機構）
図５に示すように、装置部３ａ，３ｂと接続部１９の間には、回転ヒンジ３０が設けられ、装置部３ａ，３ｂは、それぞれ独立してＺ軸回りの振り角度（Θｚ）方向に傾斜可能である。このように、装置部３ａ，３ｂの高さ方向（Ｚ）、張り出し方向（Ｘａ，Ｘｂ）にスライドし、仰ぎ角度（Θｘ）方向と振り角度（Θｚ）方向に傾斜させることが可能である、これにより、超指向性スピーカーの音響領域又は指向性ＬＥＤ照明灯の照射領域を調整することができる。なお、Ｙ軸方向（Ｙ）へのスライド及びＹ軸回り（Θｙ）の傾斜については、機能としての必要性が低いため本実施例では考慮しないが、これらの機能を設けても良い。
【００３６】
（就寝用指向性光源及び音源供給装置による音響領域及び照射領域）
図６に、本発明に係る就寝用指向性光源及び音源供給装置１による音響領域２１及び照射領域２２の実施例を示す。図６には、３台の寝床２０が記載されているが、本発明は、これに限らず、１台、２台或いは３台以上の寝床２０に対しても適用される。各寝床２０には、枕２５、掛け布団２６、敷き布団２７等の寝具が記載されているが、和室或いは洋室のいずれであっても良く、ベッドのある寝室であっても良い。さらに、例えば、サウナの就寝室、新幹線の座席、航空機の座席等であっても良い。
【００３７】
図６（ａ）は、就寝用指向性光源及び音源供給装置１を寝床２０の頭側に置き、装置部３ａ，３ｂをスライドさせずに連結部１３に接する位置とし、ポスト２８を十分に高くした場合の音響領域２１及び照射領域２２を示す。また、図６（ｂ）は、就寝用指向性光源及び音源供給装置１を寝床２０の頭側に置き、装置部３を十分にスライドさせ、ポスト２８は低くした場合の音響領域２１及び照射領域２２を示す。さらに、図６（ｃ）は、就寝用指向性光源及び音源供給装置１を寝床２０の横側に置き、左右の装置部３ａ，３ｂの傾きを変えて枕２５の位置に音響領域２１及び照射領域２２を合わせた場合を示す。
【００３８】
このように、就寝用指向性光源及び音源供給装置１は、寝床２０に対する設置位置、連結部１３及び装置部３の高さ方向（Ｚ）のスライド量、装置部３ａ，３ｂの横方向（Ｘａ，Ｘｂ）のスライド量、連結部１３の仰ぎ角度方向（Θｘ）の傾斜角、及び装置部３ａ，３ｂの振り角度方向（Θｚ）の傾斜角により音響領域２１及び照射領域２２を調整することができる。これにより、就寝者の就床時、就寝中、又は起床時において、周囲の就寝者に迷惑をかけるというストレスから解放される。また、就寝用指向性光源及び音源供給装置１は、例えば、寝床２０に対する設置位置や装置部３ａ，３ｂの振り角度方向（Θｚ）の傾斜角等を工夫することで、隣接して就寝する２人が音声又は音楽のパターンや照明のパターンを共有することもできる。
【符号の説明】
【００３９】
１  就寝用指向性光源及び音源供給装置、２  操作部、３  装置部，３ａ  第１装置部，３ｂ  第２装置部、４  超指向性スピーカー，４ａ  第１超指向性スピーカー，４ｂ  第２超指向性スピーカー、５  スピーカー制御部、６  指向性ＬＥＤ照明灯，６ａ  第１指向性ＬＥＤ照明灯，６ｂ  第２指向性ＬＥＤ照明灯、７  ＬＥＤ照明制御部、８  パターン制御部、９  記憶部、１０  表示部，１０ａ  時刻表示部，１０ｂ  液晶表示部、１１  タイマー、１２  入力部、１３  連結部、１４  音量調節ダイヤル、１５，１５ａ，１５ｂ  アーム、１６  音質調整ダイヤル、１７，１８  ストッパー、１９  接続部、２０  寝床、２１  音響領域、２２  照射領域、２４  携帯端末、２５  枕、２６  掛け布団、２７  敷き布団、２８  ポスト，２８ａ  下部ポスト，２８ｂ  上部ポスト、２９，３０  回転ヒンジ、３１  エンドストッパー、Ｘａ，Ｘｂ  横方向、Ｚ  高さ方向、Θｘ  Ｘ軸回りの傾斜方向、Θｚ  Ｚ軸周りの傾斜方向。
【図１】
2015027329.tif 000003
【図２】
2015027329.tif 000004
【図３】
2015027329.tif 000005
【図４】
2015027329.tif 000006
【図５】
2015027329.tif 000007
【図６】
2015027329.tif 000008